(57)【要約】【課題】オーディオ信号のレベルの検出結果に基づいて予め設定されたアニメーションの画像データを音声映像表示装置に出力し、オーディオ信号を耳で楽しむだけではなく映像でも楽しむことができる音声映像変換装置を提供すること。【解決手段】音声映像変換装置１は、オーディオプレイヤー２のオーディオ信号のレベルを検出する検出部１７と、複数のコンテンツに関するアニメーションを記憶した記憶部２１と、上記コンテンツを選択する選択部５と、該選択部５で選択したコンテンツのアニメーションを読み出して音声映像表示装置３に出力する制御部２０とを備え、この制御部２０は上記検出部１７の検出結果に基づいてオーディオ信号のレベルを判断し、該レベルに対応した複数のアニメーションの中からランダムに1つのアニメーションを選択し、選択したアニメーションを上記音声映像表示装置３に表示させること。【選択図】図１
2007171490.tif 000002
【特許請求の範囲】
【請求項１】
以下の要件を備えることを特徴とする、音声映像変換装置。
（イ）上記音声映像変換装置は、オーディオプレイヤーと音声映像表示装置との間に接続され、該オーディオプレイヤーのオーディオ信号を該音声映像表示装置に中継するとともに、上記オーディオ信号に関連する映像信号を上記音声映像表示装置に出力すること
（ロ）上記音声映像変換装置は、オーディオ信号のレベルを検出する検出部と、各々のコンテンツに関する複数のアニメーション映像を記憶した記憶部と、上記コンテンツを選択する選択部と、該選択部で選択したコンテンツのアニメーション映像を読み出して上記音声映像表示装置に出力する制御部とを備えること
（ハ）上記アニメーション映像は各々のコンテンツごとに上記オーディオ信号のレベルに対応して複数設定されていること
（ニ）上記音声映像変換装置は、上記検出部の検出結果に基づいてオーディオ信号のレベルを判断し、上記選択部で選択したコンテンツに対応する複数のアニメーションの中から該レベルに対応した1つのアニメーションをランダムに選択し、選択したアニメーションの映像データを上記記憶部から読出し、読み出した映像データを上記音声映像表示装置に出力すること
【請求項２】
以下の要件を備えることを特徴とする、請求項1記載の音声映像変換装置。
（イ）前記音声映像変換装置は、アニメーションの終了時にオーディオ信号のレベルを判断し、同じレベルが継続した場合は同一アニメーションを継続して読み出し、読み出した映像データを前記音声映像表示装置に出力すること
（ロ）前記音声映像変換装置は、同じレベルが所定期間以上継続したと判断した場合は、同じアニメーションが繰り返されないように、選択されたコンテンツの中から他のアニメーションを選択して出力すること
【発明の詳細な説明】
【技術分野】
【０００１】
本発明は、音声映像変換装置、詳しくはオーディオプレイヤーのオーディオ信号に基づいてアニメーションを音声映像表示装置に表示させる音声映像変換装置に関するものである。
【背景技術】
【０００２】
従来、オーディオプレイヤーに接続され、このオーディオプレイヤーから出力されるオーディオ信号の変動を眼で見える情報に変換して表示する装置が提案されている（例えば、特許文献１）。この装置は、オーディオ信号の変動を表示部である発光ダイオードの発光・点滅に変換し、この発光ダイオードを透明なプラスチックなどの透光性部材により形成したキャラクター部材の内部に収容したものである。
【特許文献１】特開平１１−３２７５８１号公報
【発明の開示】
【発明が解決しようとする課題】
【０００３】
本発明が解決しようとする問題点は、上述の装置はオーディオ信号中の特定範囲または複数の範囲の周波数やオーディオ信号の強さを検出部により検出し、検出したオーディオ信号の変動に基づいて表示部である発光ダイオードを発光点滅させたものであり、単にオーディオ信号の変動に同期して発光ダイオードが発光点滅し、キャラクター部材を内部から照射するだけで、飽きがくる恐れがあった。
【０００４】
本発明は、上記問題点を解決し、オーディオ信号のレベルの検出結果に基づいて予め設定されたアニメーションの画像データを音声映像表示装置に出力し、オーディオ信号を耳で楽しむだけではなく映像でも楽しむことができる音声映像変換装置を提供することを課題とする。
【課題を解決するための手段】
【０００５】
前記課題を解決するために本発明に係る音声映像変換装置は、以下の要件を備えることを特徴とする。
（イ）上記音声映像変換装置は、オーディオプレイヤーと音声映像表示装置との間に接続され、該オーディオプレイヤーのオーディオ信号を該音声映像表示装置に中継するとともに、上記オーディオ信号に関連する映像信号を上記音声映像表示装置に出力すること
（ロ）上記音声映像変換装置は、オーディオ信号のレベルを検出する検出部と、各々のコンテンツに関する複数のアニメーション映像を記憶した記憶部と、上記コンテンツを選択する選択部と、該選択部で選択したコンテンツのアニメーション映像を読み出して上記音声映像表示装置に出力する制御部とを備えること
（ハ）上記アニメーション映像は各々のコンテンツごとに上記オーディオ信号のレベルに対応して複数設定されていること
（ニ）上記音声映像変換装置は、上記検出部の検出結果に基づいてオーディオ信号のレベルを判断し、上記選択部で選択したコンテンツに対応する複数のアニメーションの中から該レベルに対応した1つのアニメーションをランダムに選択し、選択したアニメーションの映像データを上記記憶部から読出し、読み出した映像データを上記音声映像表示装置に出力すること
なお、前記音声映像変換装置は以下の要件を備えるようにしてもよい。
（イ）前記音声映像変換装置は、アニメーションの終了時にオーディオ信号のレベルを判断し、同じレベルが継続した場合は同一アニメーションを継続して読み出し、読み出した映像データを前記音声映像表示装置に出力すること
（ロ）前記音声映像変換装置は、同じレベルが所定期間以上継続したと判断した場合は、同じアニメーションが繰り返されないように、選択されたコンテンツの中から他のアニメーションを選択して出力すること
【発明の効果】
【０００６】
請求項１の発明によれば、オーディオ信号のレベルに応じて予め設定されているアニメーションが音声映像表示装置に表示されるので、レベルの変化に細かく追従してコンテンツの動きが細かく変化することがなく、見る人の気持ちを癒すＢＧＭ的な映像を音声映像表示装置に表示させるとともに、装置の低廉化を図ることができる音声映像変換装置を提供することができる。
【０００７】
請求項２の発明によれば、同じレベルが継続した場合は同一アニメーションを継続するが、同じレベルが繰り返し継続した場合は、その繰り返しが所定回数繰り返された場合は同じレベルの他のアニメーションを出力するようにしたので、いつまでも同じアニメーションを見るようなことがなくなり飽きることがなくなる。
【発明を実施するための最良の形態】
【０００８】
図１は、本発明に係る音声映像変換装置１を示し、この音声映像変換装置（以下、変換装置という）１は、携帯型のオーディオプレイヤー２とテレビなどの音声映像表示装置３との間に接続し、オーディオプレイヤー２から出力されるオーディオ信号に基づいて選択したコンテンツのアニメーションを音声映像表示装置３に表示させて耳だけではなく目でも音楽を楽しめるようにしたものである。
【０００９】
変換装置１は上面にオーディオプレイヤー２を載置するスペース４と、その載置スペース４に並接して選択部５である３個の押しボタン５ａ、５ｂ、５ｃが配置され、背面にはオーディオプレイヤー２に接続するステレオピンプラグ６を備えた入力ケーブル７と、音声映像表示装置（以下、テレビという）３の音声、画像入力用のＡＶジャック１０に差し込むＡＶプラグ１１を備えた出力ケーブル１２とスライドスイッチ１３とが設けてあり、裏面には図示しない電池ボックス内に電池蓋を外して電池が収容できるようになっている。
【００１０】
上記押しボタンは、メニューボタン５ａ、セットボタン５ｂ、セレクトボタン５ｃで構成され、セレクトボタン５ｃでコンテンツを選択したのち、メニューボタン５ａを押すとコンテンツの色を指定するオプションモード、コンテンツの色がランダムに変化するシャッフルモード、コンテンツ自体がランダムに変化するオールシャッフルモードを選択する画面が表示されるので、セレクトボタン５ｃでモードを選択し、セットボタン５ｂを押すとそのモードが実行されるようになっている。
【００１１】
本発明では、コンテンツとしてミュージシャンが演奏している「ライブ」、イモムシが動く「イモムシ」、魚が泳ぐ「アクアリウム」、模様が変る「パターン」、人が踊る「ダンス」の５つのコンテンツが設定されている。
【００１２】
上記変換装置１は、オーディオプレイヤー２から入力されるオーディオ信号のレベルを検出し、検出したレベルを判断して記憶部に記憶されているアニメーションの画像データをテレビ３に出力するようにしたもので、複数のコンテンツの中から、任意のコンテンツをセレクトボタン５ｃの押し操作で選択し、選択したコンテンツがオーディオ信号のレベルに対応してアニメーションで表示されるようにしたもので、このアニメーションは予め複数設定されており、検出したオーディオ信号のレベルに応じて設定されているアニメーションの中からランダムに選択されたアニメーションが映像信号に変換されてテレビ３に出力されるようになっており、オーディオ信号のレベルの細かな変動に同期することなく、1つのアニメーションが終了した時点でレベルを判断し、そのレベルに対応したアニメーションがテレビ３に表示されるようになっているものである。
【００１３】
図２は、上記変換装置１の電気的構成を説明するブロック図で、スライドスイッチ１３はスイッチＳＷ１、ＳＷ２、ＳＷ３の連動スイッチで構成され、スライドスイッチ１３をスライド操作し、スイッチＳＷ１がＯＮすると、電池１５から供給される電圧は定電圧回路１６で所定の電圧に変換されて各回路に供給される一方、ステレオピンプラグ６から入力されるオーディオ信号はスイッチＳＷ２、ＳＷ３の後段で分岐され、一方は出力用のオーディオ端子１１ａ、１１ｂに出力され、他方はレベル検出部１７に入力されるようになっており、オーディオプレイヤー２から入力されたオーディオ信号はスイッチＳＷ２、ＳＷ３を介してオーディオ端子１１ａ、１１ｂに供給されてテレビ３のスピーカから音楽として出力されるとともに、レベル検出部１７でオーディオ信号のレベルが検出できるようになっている。
【００１４】
なお、本発明では、オーディオ信号のレベルを周波数で判断し、０ＫＨｚ〜１．５ＫＨｚ未満を無音レベル、１．５ＫＨｚ〜１．９８ＫＨｚ未満を小音レベル、１．９８ＫＨｚ〜２．４５ＫＨｚ未満を中音レベル、２．４５ＫＨｚ以上を大音レベルと設定し、周波数帯域でオーディオ信号のレベルを４段階に設定している。
【００１５】
レベル検出部１７の検出結果はＣＰＵ２０に入力され、ＣＰＵ２０では検出結果に基づいてアニメーションを決定し、決定したアニメーションの映像データは記憶部であるＲＯＭ２１から読み出され、ＣＰＵ２０で映像信号に変換され、ビデオ端子１１ｃに出力し、テレビ３にアニメーションが表示されるようになっている。
【００１６】
なお、本発明では、上記レベル検出部１７は所定時間（本発明では、１００ｍｓに設定）ごとに、オーディオ信号の周波数を検出し、ＣＰＵ２０は１つのアニメーションが終了すると、アニメーション再生中に検出した周波数の平均値を算出し、算出した周波数の平均値からレベルを判断するようになっている。
【００１７】
そして、上記記憶部２１に記憶されている映像データは、コンテンツ毎にアニメーションテーブルが設定され、このアニメーションテーブルに設定されたアニメーションは複数のフレーム画像から構成されている。
【００１８】
例えば、コンテンツが泳ぐ魚の場合には、図３のアニメーションテーブル図に示すように、オーディオ信号のレベルに対応して（大音に対応してＡ−１〜Ａ−６、中音に対応してＢ−１〜Ｂ−６、小音に対応してＣ−１〜Ｃ−６、無音に対応してＯ−１、Ｏ−２の２０個）アニメーションが設定されている。例えば、図４（ａ）は、魚が下に向かって泳いだ後上に上がるアニメーションＡ−１を示し、図４（ｂ）は、魚が左に消え魚群が弧を描いて移動するアニメーションＡ−６を示し、図４（ｃ）は、奥側に向かって１回転するアニメーションＣ−２を示し、図４（ｄ）は、魚が左に消え、上方を２組の魚群が移動するアニメーションＢ−５を示し、図４（ｅ）は、魚がゆっくり動くアニメーションＯ−１を示し、図４（ｆ）は、魚がゆっくり動き、上方を１組の魚群が移動するアニメーションＯ−２を示し、図４（ｇ）は、魚がゆっくり動き、上方をクジラが移動するアニメーションＣ−６を示している。
【００１９】
そして、各アニメーションは複数のフレーム画像で構成されている。例えば、アニメーションＣ−２の場合、図５（ａ）〜（ｌ）に示すように、魚が画面の中央から左側に泳いだ後に画面の奥側に向かって泳ぎながら折り返し、画面の左から右に向かって泳いだ後に画面の手前側に向かって泳ぎながら折り返す複数の画像フレームで構成されている。
【００２０】
上記アニメーションはオーディオ信号のレベルの変化に応じてランダムに選択されるが、変化前のレベルによって変化後のアニメーションは図６の変化テーブル図に示すように、ランダムに選択されるように設定されている。
【００２１】
そして、スライドスイッチ１３をスライド操作してスイッチＳＷ１をＯＮした場合、電池が消耗している又は電池がセットされていない状態であっても、オーディオ信号はＳＷ２、ＳＷ３を経由してオーディオ端子１１ａ、１１ｂに供給されるので、テレビ３にアニメーションが表示されなくても音楽だけは聴くことができるようになっている。
【００２２】
なお、上記ＣＰＵ２０にはメニューボタン５ａ、セットボタン５ｂ、セレクトボタン５ｃに対応したスイッチＳＷ４、ＳＷ５、ＳＷ６が接続され、各スイッチがＯＮすることにより、どのボタンが押し操作されたかがＣＰＵ２０で判断できるようになっている。
【００２３】
つぎに、図８のフローチャート図に基づいて、上述の変換装置１の使用態様について説明する。
【００２４】
先ず、図７に示すように、ステレオピンプラグ６をオーディオプレイヤー２に接続し、変換装置１の載置部１上に載せ、ＡＶプラグ１１をＡＶジャック１０に差し込んだ後、スライドスイッチ１３を操作して電源をＯＮすると、テレビ３にはオーディオ信号の有無に係らずコンテンツ（例えば、ミュージシャンが演奏しているＬＩＶＥ）のアニメーションが初期画面として表示されるので（ステップＳＴ１）、ユーザーがそのまま進行させる場合はメニューボタンを押すとステップＳＴ４に進んでメニュー画面が表示されるので、オプションモード、シャッフルモード、オールシャッフルモードの中から任意のモードを選択し、セットボタン５ｂを押し操作するとイコライザ画面が表示される。
【００２５】
しかし、他のコンテンツでアニメーションを表示させたい場合は、初期画面でセレクトボタン５ｃを押し操作すると（ステップＳＴ２）、ステップＳＴ３のコンテンツ選択に進むので、ユーザーが実際に表示させたいコンテンツを選択し、セットボタン５ｂを押し操作すると、ステップＳＴ４に進んでメニュー画面が表示されるので、オプションモード、シャッフルモード、オールシャッフルモードの中から任意のモードを選択し、セットボタン５ｂを押し操作すると選択したコンテンツのイコライザ画面が表示される。
【００２６】
このイコライザ画面はオーディオ信号のレベルに対応しアニメーションが表示されるもので、オーディオプレイヤー２を起動するとオーディオ信号が入力されるので、テレビ３のスピーカから音楽が出力されるとともに、ステップＳＴ５で検出部１７によりレベルが検出され、レベルに対応したアニメーションがランダムに選択されテレビに表示される（ステップＳＴ６）。
【００２７】
アニメーションが終了すると（ステップＳＴ７）、ステップＳＴ８に進んでオーディオ信号のレベルが判断され、レベルが以前と異なった場合は、ステップＳＴ６に戻り、レベルに対応したアニメーションが表示される。
【００２８】
この際、図６の変化テーブル図に示すように、旧レベルが何であったかによって新レベルに対応するアニメーションが変化するように設定されている。
【００２９】
レベルが以前と同じ場合は、ステップＳＴ９に進んで、同じレベルが所定回数連続しているか否かが判断され（本発明では、５回に設定）、５回未満であればステップＳＴ１０に進んで、同一アニメーションを繰り返し、アニメーションが終了すると（ステップＳＴ１１）、ステップＳＴ８に戻り、オーディオ信号のレベルを判断する。
【００３０】
レベルが変化していれば、ステップＳＴ６に戻ってレベルに対応したアニメーションを選択して表示し、レベルが変っていなければ、ステップＳＴ９に進んで同じレベルが所定回数連続したか否かを判断し、所定回数連続したと判断したときには、ステップＳＴ１２に進んで同じレベルの他のアニメーションを表示し、アニメーションが終了すれば（ステップＳＴ１３）、ステップＳＴ１４に進んでオーディオ信号のレベルを判断し、レベルが変っていればステップＳＴ６に戻り、レベルに対応したアニメーションを選択して表示する。
【００３１】
レベルが変っていなければ、ステップＳＴ１２に戻り、レベルが変っていなくても、同一レベルの他のアニメーションを表示するようにプログラミングされている。
【００３２】
オーディオプレイヤー２の再生が終了すると、オーディオ信号は無音レベルが継続することになるので、ステップＳＴ１２〜ステップＳＴ１４を繰り返すことになり、無音レベルのアニメーションが表示され、オーディオプレイヤー２が再び起動するのを待つことになる。
【００３３】
上述したように、本発明の変換装置１によれば、予め複数のコンテンツと、そのコンテンツに関するアニメーションがオーディオ信号のレベルに対応して複数設定されているので、オーディオプレイヤーから入力されるオーディオ信号のレベルを判断し、そのレベルに対応したアニメーションがテレビに表示されるので、オーディオ信号の変化に逐次追従して行く必要がないので、アニメーションがスムーズに流れるとともに、高度な画像作成をする必要がなく廉価な変換装置を提供することが可能になる。
【図面の簡単な説明】
【００３４】
【図１】本発明に係る音声映像変換装置を使用するための構成の説明図
【図２】上記音声映像変換装置の電気的構成を説明するブロック図
【図３】コンテンツが魚の場合のアニメーションテーブル図
【図４】（ａ）〜（ｇ）はアニメーションの一例を説明するアニメーション図
【図５】（ａ）〜（ｌ）は上記アニメーションの一例を説明するフレーム画像図
【図６】レベルの変化に応じて選択されるアニメーションの変化テーブル図
【図７】上記音声映像変換装置の使用状態の説明図
【図８】上記音声映像変換装置の使用態様を説明するフローチャート図
【符号の説明】
【００３５】
１    音声映像変換装置
２    オーディオプレイヤー
３    音声映像表示装置（テレビ）
５    選択部
１７    検出部
２０    制御部
２１    記憶部
【図１】
2007171490.tif 000003
【図２】
2007171490.tif 000004
【図３】
2007171490.tif 000005
【図４】
2007171490.tif 000006
【図５】
2007171490.tif 000007
【図６】
2007171490.tif 000008
【図７】
2007171490.tif 000009
【図８】
2007171490.tif 000010